(57)【要約】【課題】照明光の光量に影響を与えることなく参照光を得る。【解決手段】構造物に形成される空間は、内周面により規定される。内周面は、拡散反射面を有する。空間は、入射口及び出射口を有する。出射口は、入射口から見通される。構造物に形成される開口は、入口及び出口を有する。入口は、内周面にある。拡散光線束が入射口に入射した場合に照明光の光線束が出射口から出射し参照光の光線束が前記から出射する。【選択図】図２
2015197418.tif 000002
【特許請求の範囲】
【請求項１】
空間及び開口が形成され、前記空間を規定する内周面を有し、前記内周面が拡散反射面を有し、前記空間が入射口及び出射口を有し、前記開口が入口及び出口を有し、前記出射口が前記入射口から見通され、前記入口が前記内周面にあり、拡散光線束が前記入射口に入射した場合に照明光の光線束が前記出射口から出射し参照光の光線束が前記出口から出射する構造物
を備える光線束分離機構。
【請求項２】
前記拡散反射面は、白色のつや消し塗料により塗装された面である
請求項１の光線束分離機構。
【請求項３】
前記入射口が前記出口から見通されない
請求項１又は２の光線束分離機構。
【請求項４】
前記拡散光線束を放射する放射機構と、
請求項１から３までのいずれかの光線束分離機構と、
前記照明光の光線束を結像又はコリメート化させる光学系と、
を備える照明機構。
【請求項５】
前記光学系は、
前記照明光の光線束を制限する視野絞りと、
前記照明光の光線束を制限する開口絞りと、
前記照明光の光線束を結像させるレンズと、
を備える請求項４の照明機構。
【請求項６】
前記放射機構は、
光線束を放射する光源と、
前記光線束を拡散し前記拡散光線束にする拡散板と、
を備える請求項４又は５の照明機構。
【請求項７】
前記光源がパルスキセノンランプである
請求項６の照明機構。
【請求項８】
前記拡散反射面が第１の拡散反射面であり、
前記放射機構が第２の拡散反射面を有する反射鏡をさらに備え、
前記光線束が第１の光線束及び第２の光線束を有し、
前記第１の光線束が前記拡散板に向かって放射され、
前記第２の光線束が前記第２の拡散反射面に向かって放射され前記第２の拡散反射面により拡散反射され前記拡散板に向かう
請求項６又は７の照明機構。
【請求項９】
請求項４から８までのいずれかの照明機構と、
試料により反射された反射光の光線束を受光し第１の測定結果を出力する第１の受光機構と、
前記参照光の光線束を受光し第２の測定結果を出力する第２の受光機構と、
前記第２の測定結果による補正を行い前記第１の測定結果から反射特性を導出する導出部と、
を備える反射特性測定装置。
【請求項１０】
前記第１の受光機構は、
第１の絞り、第２の絞り及び第１の受光センサーを備え、前記第１の絞り及び第２の絞りが前記反射光の光線束を制限し、前記第１の受光センサーが前記反射光の光線束を受光する第１のセンサーユニット
を備え、
前記第２の受光機構は、
前記参照光の光線束を拡散する参照光用の拡散板と、
第３の絞り、第４の絞り及び第２の受光センサーを備え、前記第３の絞り及び第４の絞りが前記参照光の光線束を制限し、前記第２の受光センサーが前記参照光の光線束を受光する第２のセンサーユニットと、
を備える請求項９の反射特性測定装置。
【発明の詳細な説明】
【技術分野】
【０００１】
本発明は、光線束分離機構、照明機構及び反射特性測定装置に関する。
【背景技術】
【０００２】
色彩計は、工業製品、食品等の色彩を定量的に測定するために使用される。色彩計においては、試料が照明光で照明され、試料により反射された反射光が測定され、測定結果から色彩値が導出される。色彩計においては、照明光の強度の変動が監視され、色彩値が導出される場合に照明光の強度の変動をキャンセルする補正が行われる。例えば、特許文献１に記載された発明においては、光源が放射した光がビームスプリッターにより照明光と参照光とに分割され、参照光の光量が測定される。
【先行技術文献】
【特許文献】
【０００３】
【特許文献１】中国特許出願公開第１０１９０７４９３号明細書
【発明の概要】
【発明が解決しようとする課題】
【０００４】
特許文献１に記載された発明においては、光源が放射した光がビームスプリッターにより照明光と参照光とに分割されるため、参照光を得た場合には照明光の光量が減少する。このため、特許文献１に記載された発明においては、十分な光量の参照光を得ることが難しい場合がある。又は、特許文献１に記載された発明においては、十分な光量の参照光を得るために色彩計が大型化する場合がある。この問題は、色彩計以外の反射特性測定装置においても生じる。
【０００５】
本発明は、この問題を解決することを目的とする。本発明の目的は、照明光の光量に影響を与えることなく参照光を得ることである。
【課題を解決するための手段】
【０００６】
構造物に形成される空間は、内周面により規定される。内周面は、拡散反射面を有する。空間は、入射口及び出射口を有する。出射口は、入射口から見通される。構造物に形成される開口は、入口及び出口を有する。入口は、内周面にある。拡散光線束が入射口に入射した場合に照明光の光線束が出射口から出射し参照光の光線束が前記から出射する。
【発明の効果】
【０００７】
出射口を見通す方向に進む光線束は、入射口に入射し、拡散反射面に拡散反射されることなく空間を進み、出射口から出射し、照明光になる。出射口を見通す方向以外に進む光線束は、入射口に入射し、空間を伝搬し、空間を伝搬する間に拡散反射面に拡散反射され、入口に入射し、開口を伝搬し、出口から出射し、参照光になる。照明光になることができない光線束が参照光になる。照明光の光量に影響を与えることなく参照光が得られる。
【０００８】
これらの及びこれら以外の本発明の目的、特徴、局面及び利点は、添付図面とともに考慮されたときに下記の本発明の詳細な説明によってより明白となる。
【図面の簡単な説明】
【０００９】
【図１】色彩計の模式図である。
【図２】測定機構の断面図である。
【図３】光線束分離機構及び参照光用の受光機構の断面図である。
【図４】積分球及び反射光用の受光機構の断面図である。
【図５】積分球及び反射光用の受光機構の断面図である。
【図６】測定機構の断面図である。
【図７】光線束分離機構及び参照光用の受光機構の断面図である。
【発明を実施するための形態】
【００１０】
（１）概略
図１の模式図は、色彩計を示す。図２の模式図は、色彩計を構成する測定機構の縦断面を示す。図３の模式図は、色彩計を構成する光線束分離機構及び参照光用の受光機構の断面を示す。図４及び図５の模式図は、色彩計を構成する積分球及び反射光用の受光機構の断面を示す。図５は、反射光用の受光機構の付近を拡大して示す。
【００１１】
図１に示される色彩計１０００は、測定機構１０１０及びコントローラー１０１１を備える。測定機構１０１０は、図１及び図２に示されるように、照明機構１０２０、積分球１０２１、反射光用の受光機構１０２２及び参照光用の受光機構１０２３を備える。照明機構１０２０は、放射機構１０３０、光線束分離機構１０３１及び結像機構１０３２を備える。放射機構１０３０及び結像機構１０３２は、照明光学系を構成する。放射機構１０３０及び光線束分離機構１０３１は、参照光学系を構成する。
【００１２】
放射機構１０３０は、拡散光線束を放射する。光線束分離機構１０３１は、拡散光線束を照明光の光線束１０４１と参照光の光線束１０４２とに分離する。結像機構１０３２は、照明光の光線束１０４１を結像させる。これにより、照明機構１０２０は、照明光の光線束１０４１で試料を照明する。
【００１３】
積分球１０２１は、試料により反射された反射光の光線束１０４３を拡散反射してから反射光用の受光機構１０２２へ導く。反射光用の受光機構１０２２は、反射光の光線束１０４３を受光し、反射光の三刺激値Ｘ，Ｙ及びＺの測定結果を出力する。参照光用の受光機構１０２３は、参照光の光線束１０４２を受光し、参照光の三刺激値Ｘ，Ｙ及びＺの測定結果を出力する。これにより、測定機構１０１０は、反射光の三刺激値Ｘ，Ｙ及びＺの測定結果及び参照光の三刺激値Ｘ，Ｙ及びＺの測定結果を出力する。
【００１４】
コントローラー１０１１は、放射機構１０３０による拡散光線束の放射を制御する。また、コントローラー１０１１は、反射光の三刺激値Ｘ，Ｙ及びＺの測定結果及び参照光の三刺激値Ｘ，Ｙ及びＺの測定結果を取得し、反射光の三刺激値Ｘ，Ｙ及びＺの測定結果から色彩値を導出する。色彩値が導出される場合は、参照光の三刺激値Ｘ，Ｙ及びＺの測定結果による補正が行われる。これにより、色彩値が照明光の変動の影響を受けにくくなる。
【００１５】
（２）放射機構
放射機構１０３０は、パルスキセノンランプ１０５０、反射傘１０５１及び拡散板１０５２を備える。パルスキセノンランプ１０５０は、光線束を放射する。反射傘１０５１は、光線束を拡散反射する。拡散板１０５２は、光線束を拡散し拡散光線束にする。
【００１６】
パルスキセノンランプ１０５０は、閃光を放射する。閃光が放射される場合は、試料が短時間に大光量で照明され、測定の信号対ノイズ比が改善する。パルスキセノンランプ１０５０が他の種類の光源に置き換えられてもよい。例えば、パルスキセノンランプ１０５０がタングステンランプ、発光ダイオード等に置き換えられてもよい。
【００１７】
反射傘１０５１は、拡散反射面１０６０を有する。反射傘１０５１が傘とは言い難い形状を有する反射鏡に置き換えられてもよい。
【００１８】
パルスキセノンランプ１０５０が光線束を放射する場合は、拡散板１０５２に向かって放射される光線束が拡散板１０５２により拡散光線束にされる。また、拡散反射面１０６０に向かって放射される光線束が拡散反射面１０６０により拡散反射され拡散板１０５２に向かい拡散板１０５２により拡散光線束にされる。これにより、パルスキセノンランプ１０５０が放射する光線束が効率よく利用される。
【００１９】
パルスキセノンランプ１０５０は、放電灯である。放電灯においては、放電の経路が閃光の放射ごとに異なるため、閃光の放射源が閃光の放射ごとに異なる。放射機構１０３０においては、パルスキセノンランプ１０５０が放射する光線束が拡散反射面１０６０により拡散反射され拡散板１０５２により拡散されるため、拡散光線束が閃光の放射源の影響を受けにくい。
【００２０】
（３）光線束分離機構
光線束分離機構１０３１は、図２及び図３に示されるように、角筒状構造物１０７０及び取り付け機構１０７１を備える。
【００２１】
角筒状構造物１０７０に形成される空間１０８０は、角筒状構造物１０７０の内周面１０９０に規定され、一端に入射口１１００を有し、他端に出射口１１０１を有する。空間１０８０の矢印１１１０で示される光軸方向と垂直をなす断面の形状は、矩形状であり、光軸方向に進んでも一定である。空間１０８０は、光軸方向にまっすぐに伸び、入射口１１００から出射口１１０１へ至る。空間１０８０の断面の形状が一定であり空間１０８０がまっすぐに伸びる場合は、出射口１１０１の全体が入射口１１００から見通される。出射口１１０１の全体が入射口１１００から見通される場合は、入射口１１００に入射し、内周面１０９０に反射されることなく空間１０８０を進み、出射口１１０１から出射する光線束が存在する。空間１０８０の断面の形状が一定でない場合又は空間１０８０がまっすぐに伸びない場合は、出射口１１０１の全体が入射口１１００から見通されない場合がある。しかし、出射口１１０１の一部が入射口１１００から見通される場合も、入射口１１００に入射し、内周面１０９０に反射されることなく空間１０８０を進み、出射口１１０１から出射する光線束が存在する。一の位置が他の位置から見通されるとは、一の位置と他の位置とを結ぶ直線上に光線の遮蔽物がなく、他の位置から一の位置へ光線が直接的に到達することをいう。
【００２２】
内周面１０９０は、拡散反射面１１２０を有する。望ましくは内周面１０９０の全体が拡散反射面１１２０であるが、内周面１０９０が拡散反射面１１２０でない面をわずかに有してもよい。
【００２３】
角筒状構造物１０７０に形成される開口１１３０，１１３１及び１１３２は、それぞれ一端に入口１１４０，１１４１及び１１４２を有し、それぞれ他端に出口１１５０，１１５１及び１１５２を有し、角筒状構造物１０７０の内周面１０９０から角筒状構造物１０７０の外周面１０９１へ至る。入口１１４０，１１４１及び１１４２は、内周面１０９０にある。出口１１５０，１１５１及び１１５２は、外周面１０９１にある。拡散反射面１１２０は、出口１１５０，１１５１及び１１５２の各々から見通される。開口１１３０，１１３１及び１１３２は、光軸方向と垂直をなす方向に伸びる。拡散反射面１１２０が出口１１５０，１１５１及び１１５２の各々から見通される場合は、入射口１１００に入射し、空間１０８０を進み、空間１０８０を進む間に拡散反射面１１２０に拡散反射され、入口１１４０，１１４１及び１１４２に入射し、開口１１３０，１１３１及び１１３２を進み、出口１１５０，１１５１及び１１５２から出射する光線束が存在する。
【００２４】
入射口１１００には、放射機構１０３０が放射した拡散光線束が入射する。拡散光線束が入射口１１００に入射する場合は、出射口１１０１を見通す方向に進む光線束が、拡散反射面１１２０に拡散反射されることなく空間１０８０を進み、出射口１１０１から出射し、照明光になる。また、出射口１１０１を見通す方向以外に進む光線束が、空間１０８０を進み、空間１０８０を進む間に拡散反射面１１２０に拡散反射され、入口１１４０，１１４１及び１１４２に入射し、開口１１３０，１１３１及び１１３２を進み、出口１１５０，１１５１及び１１５２から出射し、参照光になる。出射口１１０１を見通す方向以外に進む光線束が参照光になる場合は、照明光になることができない光線束が参照光になり、照明光の光量に影響を与えることなく参照光が得られる。
【００２５】
入射口１１００に入射し、空間１０８０を進み、空間１０８０を進む間に拡散反射面１１２０に拡散反射され、出射口１１０１から出射する光線束が照明光の一部となってもよい。これにより、測定の信号対ノイズ比が改善される。
【００２６】
拡散反射面１１２０は、白色のつや消し塗料により塗装された面である。白色のつや消し塗料は、樹脂、白色顔料、つや消し材等を含む。樹脂は、アクリル樹脂等である。白色顔料は、酸化チタン、酸化亜鉛、硫酸バリウム、炭酸カルシウム等の粉末である。つや消し材は、シリカ、炭酸カルシウム、リン酸カルシウム等の微粒子である。拡散反射面１１２０が白色のつや消し塗料により塗装された面である場合は、参照光の分光スペクトルが拡散反射の回数の影響を受けにくくなり、参照光の三刺激値Ｘ，Ｙ及びＺの測定結果による補正が適切に行われる。白色のつや消し塗料が白色以外の無彩色のつや消し塗料に置き換えられてもよい。内周面１０９０を粗くすることにより拡散反射面１１２０が形成されてもよい。
【００２７】
入射口１１００は、出口１１５０，１１５１及び１１５２から見通されない。入射口１１００が出口１１５０，１１５１及び１１５２から見通されない場合は、入射口１１００から出口１１５０，１１５１及び１１５２へ光線束が直接に到達せず、参照光の光線束１０４２が均一になる。
【００２８】
参照光の光量を大きくすることが望まれる場合は、出口１１５０，１１５１及び１１５２から見通される拡散反射面１１２０の面積を大きくするために、空間１０８０が光軸方向に延長され、開口１１３０，１１３１及び１１３２の径が拡大される。これにより、測定の信号対ノイズ比が改善される。参照光の光量は入射口１１００の面積と空間１０８０の光軸方向の長さとの積に比例するため、参照光の光量を大きくするために照明機構１０２０が過度に大きくなることはない。
【００２９】
角筒状構造物１０７０が他の種類の構造物に置き換えられてもよい。例えば、角筒状構造物１０７０が円筒状構造物に置き換えられてもよい。
【００３０】
取り付け機構１０７１には、参照光用の受光機構１０２３が取り付けられる。
【００３１】
（４）結像機構
結像機構１０３２は、図２に示されるように、視野絞り１１６０、開口絞り１１６１、レンズ１１６２及び鏡筒１１６３を備える。視野絞り１１６０及び開口絞り１１６１は、照明光の光線束１０４１を制限する。レンズ１１６２は、照明光の光線束１０４１を結像させる。鏡筒１１６３は、視野絞り１１６０、開口絞り１１６１及びレンズ１１６２を支持する。視野絞り１１６０、開口絞り１１６１及びレンズ１１６２は、結像光学系を構成する。視野絞り１１６０により、照明光の光線束１０４１で照明される視野が調整される。開口絞り１１６１により、開口数が調整される。
【００３２】
視野絞り１１６０、開口絞り１１６１及びレンズ１１６２以外の光学素子が結像機構１０３２に追加されてもよい。例えば、図６に示されるように、開口絞り１１６１の前に拡散板１１６４が追加されてもよい。
【００３３】
結像機構１０３２が照明光の光線束１０４１をコリメート化するコリメート化機構に置き換えられてもよい。
【００３４】
（５）積分球
積分球１０２１は、図２及び図４に示されるように、中空球状の構造物である。
【００３５】
積分球１０２１に形成される空間１１７０は、積分球１０２１の内面１１８０に規定される。空間１１７０の形状は、球状である。積分球１０２１に形成される試料窓１１９０は、積分球１０２１に形成される照明窓１１９１から見通される。試料窓１１９０及び照明窓１１９１は、積分球１０２１に形成される受光窓１１９２から見通されない。照明窓１１９１には、照明機構１０２０が結合される。受光窓１１９２には、反射光用の受光機構１０２２が取り付けられる。
【００３６】
内面１１８０は、拡散反射面１２００を有する。望ましくは内面１１８０の全体が拡散反射面１２００であるが、内面１１８０が拡散反射面１２００でない面をわずかに有してもよい。
【００３７】
拡散反射面１２００は、拡散反射面１１２０と同様に、白色のつや消し塗料により塗装された面である。
【００３８】
照明機構１０２０が照明光の光線束１０４１を放射する場合は、照明光の光線束１０４１が、照明窓１１９１に入射し、内面１１８０に反射されることなく空間１１７０を進み、試料窓１１９０に至る。試料窓１１９０に試料がある場合は、試料窓１１９０に至った照明光の光線束１０４１により試料が照明され、試料が反射光の光線束１０４３を反射する。反射光の光線束１０４３は、空間１１７０を伝搬し、空間１１７０を伝搬する間に拡散反射面１２００に拡散反射され、受光窓１１９２から出射する。
【００３９】
（６）反射光用の受光機構
反射光用の受光機構１０２２は、図５に示されるように、センサーユニット１２１０を備える。
【００４０】
センサーユニット１２１０は、フィルター１２２０，１２２１及び１２２２、絞り１２３０，１２３１及び１２３２、受光センサー１２４０，１２４１及び１２４２並びに構造物１２５０を備える。
【００４１】
フィルター１２２０，１２２１及び１２２２は、それぞれ構造物１２５０に形成される孔１２６０，１２６１及び１２６２に挿入され、構造物１２５０により支持される。絞り１２３０，１２３１及び１２３２は、それぞれ構造物１２５０に形成される孔１２６０，１２６１及び１２６２に挿入され、構造物１２５０により支持される。受光センサー１２４０，１２４１及び１２４２は、それぞれ構造物１２５０に形成される孔１２６０，１２６１及び１２６２に挿入され、構造物１２５０により支持される。
【００４２】
構造物１２５０に形成される絞り１２７０、フィルター１２２０、絞り１２３０及び受光センサー１２４０は、刺激値Ｘを測定する受光光学系を構成する。構造物１２５０に形成される絞り１２７１、フィルター１２２１、絞り１２３１及び受光センサー１２４１は、刺激値Ｙを測定する受光光学系を構成する。構造物１２５０に形成される絞り１２７２、フィルター１２２２、絞り１２３２及び受光センサー１２４２は、刺激値Ｚを測定する受光光学系を構成する。
【００４３】
刺激値Ｘを測定する受光光学系、刺激値Ｙを測定する受光光学系及び刺激値Ｚを測定する受光光学系の共通点を刺激値Ｘを測定する受光光学系を例にとって説明する。
【００４４】
絞り１２７０、フィルター１２２０、絞り１２３０及び受光センサー１２４０は、記載された順序で配列される。
【００４５】
反射光の光線束１０４３が孔１２６０に入射した場合は、反射光の光線束１０４３が、孔１２６０を進み、孔１２６０を進む間に絞り１２７０、フィルター１２２０及び絞り１２３０を記載された順序で通過し、受光センサー１２４０に受光される。絞り１２７０及び１２３０は、反射光の光線束１０４３を制限する。受光センサー１２４０は、反射光の光線束１０４３を受光し、受光量に応じた信号を出力する。これにより、刺激値Ｘが測定される。絞り１２７０及び１２３０により、反射光の光線束１０４３のフィルター１２２０への入射角が小さくなる。すなわち、反射光の光線束１０４３がフィルター１２２０に略垂直に入射する。
【００４６】
センサーユニット１２１０の動作角θ１、すなわち、絞り１２７０及び１２３０を通過する光線束の開き角θ１は、照明窓１１９１に入射した照明光の光線束１０４１が受光センサー１２４０に受光されず、反射光の光線束１０４３が拡散反射面１２００に拡散反射されることなく受光センサー１２４０に受光されることがないように設定される。これにより、反射光の光線束１０４３は、拡散反射により均一に混合されてから受光センサー１２４０に受光される。開き角θ１は、この条件を満たす範囲で大きく設定され、例えば約４０°に設定される。これにより、拡散反射面１２００の広い範囲から反射光の光線束１０４３が取り込まれ、測定の信号対ノイズ比が改善される。
【００４７】
（７）フィルター
フィルター１２２０は、刺激値Ｘに対応する双峰状の波長透過率特性を有する。フィルター１２２１は、刺激値Ｙに対応する単峰状の波長透過率特性を有する。フィルター１２２２は、刺激値Ｚに対応する単峰状の波長透過率特性を有する。フィルター１２２０，１２２１及び１２２２の波長透過率特性は、Ｄ６５光源の１０°視野の重価係数を適用して色彩値が導出された場合に適切な色彩値が導出されるように設定される。
【００４８】
フィルター１２２０，１２２１及び１２２２は、干渉膜フィルターである。フィルター１２２０が干渉膜フィルターである場合は、双峰状の波長透過率特性をフィルター１２２０に与えることは容易である。
【００４９】
干渉膜フィルターには、干渉膜の組み合わせにより必要な波長透過率特性が容易に得られるという利点がある。例えば、４０層から６０層程度の干渉膜の積層により必要な波長透過率特性が容易に得られる。このため、干渉膜フィルターが使用される場合は、測定の精度が向上する。
【００５０】
干渉膜フィルターには、ピーク波長における透過率が大きいという利点がある。このため、干渉膜フィルターが使用される場合は、受光センサーが受光する光量が大きくなり、測定の信号対ノイズ比が改善される。
【００５１】
干渉膜フィルターには、波長透過率特性が入射角により異なるという欠点がある。この欠点は、干渉条件（干渉距離）が入射角により異なることにより生じる。反射光用の受光機構１０２２においては、反射光の光線束１０４３のフィルター１２２０，１２２１及び１２２２への入射角が小さくなっているため、この欠点が顕在化しにくい。
【００５２】
干渉膜フィルター以外のフィルターが使用されてもよい。例えば、色ガラス、アセテートフィルム等が使用されてもよい。しかし、色ガラス、アセテートフィルム等が使用される場合は、２個以上の色ガラス、アセテートフィルム等の組み合わせにより刺激値Ｘに対応する双峰状の波長透過率特性を実現することができない。このため、色ガラス、アセテートフィルム等が使用される場合は、第１のピーク波長にピークを有する単峰状の波長透過率特性が第１の色ガラス、アセテートフィルム等に与えられ、第２のピーク波長にピークを有する単峰状の波長透過率特性が第２の色ガラス、アセテートフィルム等に与えられ、刺激値Ｘ１を測定するために第１の色ガラス、アセテートフィルム等が使用され、刺激値Ｘ２を測定するために第２の色ガラス、アセテートフィルム等が使用され、刺激値Ｘ１及びＸ２から刺激値Ｘが導出される。しかし、刺激値Ｘを測定するために２個のフィルターが使用される場合は、刺激値Ｘ，Ｙ及びＺを測定するために４個のフィルターが使用され、色彩計１０００の製造費用が増加する。刺激値Ｚに対応する単峰状の波長透過率特性のピーク波長が第１のピーク波長に近いことに着目し刺激値Ｚに係数を乗じて刺激値Ｘ１を導出することにより、第１の色ガラス、アセテートフィルム等を省略することも行われる。しかし、刺激値Ｚに係数を乗じても正確な刺激値Ｘ１が導出されないため、この方法により第１の色ガラス、アセテートフィルム等が省略された場合は測定の精度が低下する。
【００５３】
（８）参照光用の受光機構
参照光用の受光機構１０２３は、図３に示されるように、拡散板１２８０及びセンサーユニット１２８１を備える。
【００５４】
拡散板１２８０は、開口１１３０，１１３１及び１１３２とセンサーユニット１２８１との間に配置され、参照光の光線束１０４２を拡散する。
【００５５】
センサーユニット１２８１は、フィルター１２９０，１２９１及び１２９２、絞り１３００，１３０１及び１３０２、受光センサー１３１０，１３１１及び１３１２並びに構造物１３２０を備える。構造物１３２０には、絞り１３３０，１３３１及び１３３２が形成される形成され、孔１３４０，１３４１及び１３４２が形成される。
【００５６】
センサーユニット１２８１は、センサーユニット１２１０と同型である。センサーユニット１２８１がセンサーユニット１２１０と同型であることは、色彩計１０００の製造費用を減少させる。
【００５７】
参照光用の受光機構１０２３が参照光の光線束１０４２を受光した場合は、拡散板１２８０が参照光の光線束１０４２を拡散する。拡散された参照光の光線束１０４２は、孔１３４０，１３４１及び１３４２に入射する。拡散板１２８０により、出口１１５０，１１５１及び１１５２から受光センサー１３１０，１３１１及び１３１２へ向かう方向以外に向かう光線束の一部が受光センサー１３１０，１３１１及び１３１２へ向かい、測定の信号対ノイズ比が改善される。
【００５８】
センサーユニット１２８１がセンサーユニット１２１０と同型である場合は、センサーユニット１２８１が絞り１３００，１３０１及び１３０２並びに絞り１３３０，１３３１及び１３３２を有するため、受光センサー１３１０，１３１１及び１３１２が出口１１５０，１１５１及び１１５２から離して設置される。受光センサー１３１０，１３１１及び１３１２が出口１１５０，１１５１及び１１５２から離して設置される場合は、出口１１５０，１１５１及び１１５２から受光センサー１３１０，１３１１及び１３１２へ向かう方向以外に向かう光線束が増加するため、受光センサー１３１０，１３１１及び１３１２に受光される光線束が減少し、測定の信号対ノイズ比が悪化する。拡散板１２８０は、このような受光される光線束の減少を抑制する。
【００５９】
センサーユニット１２８１がセンサーユニット１２１０と同型でないセンサーユニットに置き換えられてもよい。センサーユニット１２８１がセンサーユニット１２１０と同型でないセンサーユニットに置き換えられる場合は、望ましくはセンサーユニット１２８１が絞りを備えないセンサーユニットに置き換えられる。
【００６０】
図７の模式図は、センサーユニットが絞りを備えないセンサーユニットに置き換えられた場合の光線束分離機構及び参照光用の受光機構の断面を示す。
【００６１】
図７に示されるセンサーユニット１３５０は、受光センサー１３６０，１３６１及び１３６２並びにフィルター１３７０，１３７１及び１３７２を備える。受光センサー１３６０，１３６１及び１３６２は、出口１１５０，１１５１及び１１５２に近づけて設置される。
【００６２】
（９）測定方式の変更
反射光用の受光機構１０２２及び参照光用の受光機構１０２３の測定方式が三刺激値方式から分光方式に変更されてもよい。分光方式の受光機構には、回折格子、プリズム等の波長分散素子を備えるポリクロメーターがある。反射光用の受光機構１０２２及び参照光用の受光機構１０２３の測定方式が分光方式に変更された場合は、分光スペクトルを測定する分光測色計が構成されてもよい。色彩値及び分光スペクトル以外の反射特性を測定する反射特性測定装置が構成されてもよい。
【００６３】
（１０）開口の径及び厚さ
開口１１３０，１１３１及び１１３２を通過する光線束の開き角θ３は、センサーユニット１２８１の動作角θ２、すなわち、絞り１３３０，１３３１及び１３３２並びに絞り１３００，１３０１及び１３０２を通過する光線束の開き角θ２とほぼ同じに設定されるか、又は、開き角θ２より広く設定される。開き角θ３は、開口１１３０，１１３１及び１１３２の径及び厚さにより決定される。
【００６４】
開き角θ３は、入射口１１００に入射する拡散光線束が拡散反射面１１２０に反射されることなく開口１１３０，１１３１及び１１３２を通過することがないように設定される。これにより、参照光の光線束１０４２が均一になる。
【００６５】
参照光の光線束１０４２のセンサーユニット１２８１への入射角は、望ましくは反射光の光線束１０４３のセンサーユニット１２１０への入射角と同じにされる。これにより、入射角により波長透過率特性が異なる干渉膜フィルターが使用される場合であっても、センサーユニット１２８１の受光特性がセンサーユニット１２１０の受光特性と同じになる。
【００６６】
センサーユニット１２１０が測色に使用されるのに対してセンサーユニット１２８１は照明光の変動を監視するために使用されるため、センサーユニット１２８１の受光特性がセンサーユニット１２１０の受光特性と異なってもよい。ただし、開き角θ３が狭くなりすぎた場合、例えば、開き角θ１及びθ２が４０°である場合に開き角θ３が２０°であるような場合は、参照光の光量が減少し、測定の信号対ノイズ比が悪化する。
【００６７】
（１１）コントローラー
コントローラー１０１１は、組み込みコンピューターであり、ファームウェアを実行することにより制御を行う。コントローラー１０１１による制御の全部又は一部がソフトウェアを伴わないハードウェアにより実現されてもよい。
【００６８】
コントローラー１０１１は、パルスキセノンランプ１０５０を制御し、パルスキセノンランプ１０５０に光線束を放射させる。また、コントローラー１０１１は、パルスキセノンランプ１０５０に光線束を放射させたときに、反射光の三刺激値Ｘ，Ｙ及びＺをそれぞれ受光センサー１２４０，１２４１及び１２４２から取得し、参照光の三刺激値Ｘ，Ｙ及びＺをそれぞれ受光センサー１３１０，１３１１及び１３１２から取得する。さらに、コントローラー１０１１は、反射光の三刺激値Ｘ，Ｙ及びＺから色彩値を導出する。色彩値は、マンセル表色系、Ｌ＊ａ＊ｂ＊表色系、Ｌ＊Ｃ＊ｈ表色系、ハンターＬａｂ表色系、ＸＹＺ表色系等で表現される。色彩値が導出される場合は、参照光の三刺激値Ｘ，Ｙ及びＺによる補正が行われる。
【００６９】
本発明は詳細に示され記述されたが、上記の記述は全ての局面において例示であって限定的ではない。したがって、本発明の範囲からはずれることなく無数の修正及び変形が案出されうると解される。
【符号の説明】
【００７０】
１０００  色彩計
１０１０  測定機構
１０１１  コントローラー
１０２０  照明機構
１０２１  積分球
１０２２  反射光用の受光機構
１０２３  参照光用の受光機構
１０３０  放射機構
１０３１  光線束分離機構
１０３２  結像機構
１０４１  照明光の光線束
１０４２  参照光の光線束
１０４３  反射光の光線束
１０８０  空間
１１３０，１１３１，１１３２  開口
【図１】
2015197418.tif 000003
【図２】
2015197418.tif 000004
【図３】
2015197418.tif 000005
【図４】
2015197418.tif 000006
【図５】
2015197418.tif 000007
【図６】
2015197418.tif 000008
【図７】
2015197418.tif 000009